(57)【要約】  本発明は、自車両の周囲に存在する他車両を考慮した通過可能時刻を推定する走行支援装置である。停止車両推定部（２）は、自車両よりも前方に位置する走行経路上の信号機において、自車両よりも信号機側に停止する他車両の停止車両数もしくは停止車列長を、信号機位置情報、自車両位置、自車両速度および交通情報に基づいて推定する。通過可能時間帯推定部（３）は、停止車両推定部（２）で推定した停止車両数もしくは停止車列長と、スケジュール情報とに基づいて、自車両が信号機を通過できる通過可能時間帯を推定する。
2012144255.tif 000002
【特許請求の範囲】
【請求項１】
車両に搭載される走行支援装置であって、
前記車両たる自車両が走行すると予測される推定走行経路と、前記走行経路上で信号機が設けられた地点の位置とについての情報を含む推定走行経路情報を取得する推定経路情報取得部（８）と、
前記自車両の位置である自車両位置と、前記自車両の速度である自車両速度とについての情報を取得する車両情報取得部（７）と、
前記交差点は通過可能である旨の表示を前記信号機が行う信号機通過可能時間帯の情報を有するスケジュール情報を取得する信号情報取得部（６）と、
前記推定走行経路の交通情報を取得する交通情報取得部（５）と、
前記自車両よりも前方に位置する前記走行経路上の前記地点において、前記自車両よりも前記地点側に停止する他車両の停止車両数もしくは停止車列長を、前記信号機位置情報、前記自車両位置、前記自車両速度および前記交通情報に基づいて推定する停止車両推定部（２）と、
前記停止車両推定部で推定した前記停止車両数もしくは前記停止車列長と、前記スケジュール情報とに基づいて、前記自車両が前記交差点を通過できる通過可能時間帯を推定する通過可能時間帯推定部（３）と
を備える、走行支援装置。
【請求項２】
前記通過可能時間帯推定部（３）は、前記スケジュール情報に基づいて得られる前記信号機通過可能時間帯のうち、その始期から、前記停止車両数もしくは前記停止車列長と正の相関関係がある期間を除いた時間帯を、前記通過可能時間帯と推定する、請求項１に記載の走行支援装置。
【請求項３】
前記交通情報取得部（５）は、前記交通情報として、前記自車両の周辺に位置する他車両の他車両位置および他車両速度を取得し、
前記停止車両推定部（２）は、前記他車両位置および前記他車両速度と、前記信号機の前記位置情報と、前記現示スケジュール情報とに基づいて前記他車両が前記信号機において停止するかどうかを推測して、前記停止車両数を推定する、請求項１に記載の走行支援装置。
【請求項４】
前記交通情報取得部（５）は、前記交通情報として、前記自車両の周辺に位置する他車両の他車両位置および他車両速度を取得し、
前記停止車両推定部（２）は、前記他車両位置および前記他車両速度と、前記信号機の前記位置情報と、前記現示スケジュール情報とに基づいて前記他車両が前記信号機において停止するかどうかを推測して、前記停止車両数を推定する、請求項２に記載の走行支援装置。
【請求項５】
車両に搭載される走行支援装置であって、
前記車両たる自車両が走行すると予測される推定走行経路と、前記走行経路上で信号機が設けられた地点の位置とについての情報を含む推定走行経路情報を取得する推定経路情報取得部（８）と、
前記自車両の位置である自車両位置と、前記自車両の速度である自車両速度とについての情報を取得する車両情報取得部（７）と、
前記交差点は通過可能である旨の表示を前記信号機が行う信号機通過可能時間帯の情報を有するスケジュール情報を取得する信号情報取得部（６）と、
前記信号機において停止している前記他車両の列の末尾の位置情報を交通情報として取得する交通情報取得部（５）と、
前記自車両よりも前方に位置する前記走行経路上の前記地点において、前記交通情報と前記信号機位置との差に基づいて、前記自車両よりも前記地点側に停止する他車両の停止車両数もしくは停止車列長を、推定する停止車両推定部（２）と、
前記停止車両推定部で推定した前記停止車両数もしくは前記停止車列長と、前記スケジュール情報とに基づいて、前記自車両が前記交差点を通過できる通過可能時間帯を推定する通過可能時間帯推定部（３）と
を備える、走行支援装置。
【請求項６】
前記交通情報取得部（５）は、前記交通情報として、前記走行経路の交通量を取得し、
前記停止車両推定部（２）は、前記交通量に応じて前記停止車両数もしくは前記停止車列長を推定する、請求項１に記載の走行支援装置。
【請求項７】
前記交通情報取得部（５）は、前記交通情報として、前記走行経路の交通量を取得し、
前記停止車両推定部（２）は、前記交通量に応じて前記停止車両数もしくは前記停止車列長を推定する、請求項２に記載の走行支援装置。
【請求項８】
前記停止車両推定部（２）は、前記信号機が通過不可能である旨の表示を行う信号機通過不可能時間帯に前記自車両が到達すると推測されるときには、前記所定区間に対する前記交通量と正の相関関係がある第１値と、前記信号機通過不可能時間帯の始期から前記自車両が前記信号機に到達すると予測される時刻までの期間と正の相関関係があり零以上１以下の値を採る第２値との乗算値を、前記車両停止数もしくは前記停止車列長と推定する、請求項６に記載の走行支援装置。
【請求項９】
前記停止車両推定部（２）は、前記信号機が通過不可能である旨の表示を行う信号機通過不可能時間帯に前記自車両が到達すると推測されるときには、前記所定区間に対する前記交通量と正の相関関係がある第１値と、前記信号機通過不可能時間帯の始期から前記自車両が前記信号機に到達すると予測される時刻までの期間と正の相関関係があり零以上１以下の値を採る第２値との乗算値を、前記車両停止数もしくは前記停止車列長と推定する、請求項７に記載の走行支援装置。
【請求項１０】
前記信号情報取得部（６）は、前記信号機の前記スケジュール情報を有する外部装置と通信可能に設けられ、前記外部装置から通信によって前記スケジュール情報を取得する、請求項１から９のいずれか一つに記載の走行支援装置。
【請求項１１】
前記自車両が以前に通過した前記信号機の前記スケジュール情報が記録された記録媒体を更に備え、
前記信号情報取得部（６）は、前記走行経路上における前記信号機の前記スケジュール情報を、前記記録媒体に記録された前記スケジュール情報に基づいて推定する、請求項１から９のいずれか一つに記載の走行支援装置。
【請求項１２】
前記通過可能時間帯と、前記推定走行経路情報と、前記自車両位置および前記自車両速度に基づいて、走行時の消費エネルギを減少する速度パターンを算出する推奨速度演算部（４）をさらに備える、請求項１から９のいずれか一つに記載の走行支援装置。
【請求項１３】
前記推奨速度演算部（４）は、前記自車両の信号通過時刻が前記通過可能時間帯の範囲内に含まれるように前記速度パターンを算出する、請求項１２に記載の走行支援装置。
【請求項１４】
前記推奨速度演算部（４）は、前記自車両の速度の上限及び下限を設定し、前記自車両の信号通過時刻が前記通過可能時間帯の範囲内に含まれるような前記速度パターンが、前記上限を超える速度或いは前記下限を下回る速度を含むときには、エンジンブレーキ又は回生ブレーキを採用したときの前記自車両の速度の減速率に基づいて、前記速度を低下させる速度パターンを算出する、請求項１２に記載の走行支援装置。
【請求項１５】
前記推奨速度演算部（４）は、前記自車両の速度の上限及び下限を設定し、前記自車両の信号通過時刻が前記通過可能時間帯の範囲内に含まれるような前記速度パターンが、前記上限を超える速度或いは前記下限を下回る速度を含むときには、エンジンブレーキ又は回生ブレーキを採用したときの前記自車両の速度の減速率に基づいて、前記速度を低下させる速度パターンを算出する、請求項１３に記載の走行支援装置。
【発明の詳細な説明】
【技術分野】
【０００１】
この発明は、走行支援装置に関し、特に信号機を通過できる時間帯の算出に関する。
【背景技術】
【０００２】
車両走行時の消費エネルギを抑えるシステムとして、不要な加減速を抑制した速度を提示できるシステムが挙げられる。特許文献１では、消費エネルギ削減手法として、信号機の現示スケジュールなどの情報を利用することで信号機を無停止で通過する速度を算出し、これを提示することによりエネルギ効率の良い走行を運転者に促す。【０００３】
上記システムにおいては、信号機が設けられた交差点の手前一定距離Ｄの地点Ｐにおいて前記交差点の信号状態情報（青信号／黄・赤信号のスケジュール）、距離Ｄ、地点Ｐ−交差点間の許容最高速度情報、及び地点Ｐに到達した時刻から、交差点を青信号の間に通過するための地点Ｐ−交差点間の推奨所要時間および推奨走行速度を演算し、この推奨走行速度を表示あるいは車両に送信し、車両が交差点までの間を推奨走行速度で走行することによって交差点を無停止で通過することを目的としている。【０００４】
なお本発明に関連する技術として特許文献２，３が開示されている。
【先行技術文献】
【特許文献】
【０００５】
【特許文献１】特開２００６―３１５７３号公報
【特許文献２】特開２００３−３９９７５号公報
【特許文献３】特開２００８−２４２８４３号公報
【発明の概要】
【発明が解決しようとする課題】
【０００６】
しかしながら、上記システムでは交差点の通過可能時間帯を信号機が青信号を示す時間帯であるとしているが、都市部など比較的交通量の多い場合は交差点に車列が発生することが多い。このような場合は、信号機が青信号を示していても車列が動かない間は当該交差点を通過できない。【０００７】
そこで、この発明は、自車両の周囲に存在する他車両を考慮した通過可能時間帯を推定する走行支援装置を提供することを目的としている。
【課題を解決するための手段】
【０００８】
本発明にかかる走行支援装置の第１の態様は、車両に搭載される走行支援装置であって、前記車両たる自車両が走行すると予測される推定走行経路と、前記走行経路上で信号機が設けられた地点の位置とについての情報を含む推定走行経路情報を取得する推定経路情報取得部と、前記自車両の位置である自車両位置と、前記自車両の速度である自車両速度とについての情報を取得する車両情報取得部と、前記交差点は通過可能である旨の表示を前記信号機が行う信号機通過可能時間帯の情報を有するスケジュール情報を取得する信号情報取得部と、前記推定走行経路の交通情報を取得する交通情報取得部と、前記自車両よりも前方に位置する前記走行経路上の前記地点において、前記自車両よりも前記地点側に停止する他車両の停止車両数もしくは停止車列長を、前記信号機位置情報、前記自車両位置、前記自車両速度および前記交通情報に基づいて推定する停止車両推定部と、前記停止車両推定部で推定した前記停止車両数もしくは前記停止車列長と、前記スケジュール情報とに基づいて、前記自車両が前記交差点を通過できる通過可能時間帯を推定する通過可能時間帯推定部とを備える。【０００９】
本発明にかかる走行支援装置の第２の態様は、車両に搭載される走行支援装置であって、前記車両たる自車両が走行すると予測される推定走行経路と、前記走行経路上で信号機が設けられた地点の位置とについての情報を含む推定走行経路情報を取得する推定経路情報取得部と、前記自車両の位置である自車両位置と、前記自車両の速度である自車両速度とについての情報を取得する車両情報取得部と、前記交差点は通過可能である旨の表示を前記信号機が行う信号機通過可能時間帯の情報を有するスケジュール情報を取得する信号情報取得部と、前記信号機において停止している前記他車両の列の末尾の位置情報を交通情報として取得する交通情報取得部と、前記自車両よりも前方に位置する前記走行経路上の前記地点において、前記交通情報と前記信号機位置との差に基づいて、前記自車両よりも前記地点側に停止する他車両の停止車両数もしくは停止車列長を、推定する停止車両推定部と、前記停止車両推定部で推定した前記停止車両数もしくは前記停止車列長と、前記スケジュール情報とに基づいて、前記自車両が前記交差点を通過できる通過可能時間帯を推定する通過可能時間帯推定部とを備える。
【発明の効果】
【００１０】
本発明にかかる走行支援装置の第１及び第２の態様によれば、他車両の存在を考慮した通過可能時間帯を推定することができる。【００１１】
この発明の目的、特徴、局面、および利点は、以下の詳細な説明と添付図面とによって、より明白となる。
【図面の簡単な説明】
【００１２】
【図１】この発明の実施の形態による走行支援装置の構成の概念的な一例を示すブロック図である。
【図２】この発明の実施の形態による走行支援装置の動作の一例を示すフローチャートである。
【図３】この発明の実施の形態による走行支援装置の停止車両推定部における、交通情報として他車両の走行位置および走行速度情報を用いた停止車両数推定の例を示す図である。
【図４】この発明の実施の形態による走行支援装置の停止車両推定部における、交通情報として他車両の走行位置および走行速度情報を用いた停止車両数推定の例を示す図である。
【図５】この発明の実施の形態による走行支援装置の停止車両推定部における、交通情報として他車両の走行位置および走行速度情報を用いた停止車両数推定の例を示す図である。
【図６】この発明の実施の形態による走行支援装置の停止車両推定部における、交通情報として他車両の走行位置および走行速度情報を用いた停止車両数推定の例を示す図である。
【図７】この発明の実施の形態による走行支援装置の停止車両推定部における、交通情報として他車両の走行位置および走行速度情報を用いた停止車両数推定の例を示す図である。
【図８】この発明の実施の形態による走行支援装置の通過可能時間帯推定部が算出する通過可能時刻と信号の現示スケジュールの関係の一例を示す図である。
【図９】この発明の実施の形態による走行支援装置の推奨速度演算部における、直近の信号までの推奨速度パターンの算出例を示す図である。
【図１０】この発明の実施の形態による走行支援装置の推奨速度演算部の動作の一例を示すフローチャートである。
【図１１】この発明の実施の形態による走行支援装置の停止車両推定部における、交通情報として交通量を取得した場合の、信号到達時刻に対する停止車両数の遷移を表すグラフの一例である。
【発明を実施するための形態】
【００１３】
（実施の形態）
以下、本発明に係る走行支援装置の実施の形態について説明する。まず技術的な着眼点について説明する。
【００１４】
ここでいう信号機は、当該信号機が設けられた道路上の地点を車両が通過することができるかどうかを運転者に対して示すものである。例えば日本国においては、当該信号機は、自身に属する緑色の発光体を発光させること（青信号の表示）で車両が当該地点を通過可能である旨を表示し、自身に属する赤色の発光体を発光させること（赤信号の表示）で車両が通過不可能である旨を表示する。以下、簡単のため、信号機はこれに対応する交差点と同じ位置に配置されると近似して検討する。なお、信号機は青信号の後であって赤信号の前に、若しくは赤信号と並行して、自身に属する黄色の発光体を発光させる（黄信号の表示）。かかる黄信号は、原則的には当該信号機は通過不可能な状態を表示し、例えば急ブレーキによる交通上の不具合が生じる場合に限って通過可能である旨を表示する。つまり、信号機が黄信号又は赤信号を示している時間帯では車両は原則的にその信号機を通過することができない。一方、信号機が青信号を示している時間帯に、車両はその信号機を通過することができる。なお、以下では、青信号、黄信号及び赤信号などを用いて説明するが、他国においては適宜にこれらの信号を読み替えることで本明細書に記載の技術が理解される。
【００１５】
さて、青信号の表示が開始されるまでは当該信号機は赤信号を表示する。当該赤信号を表示する期間において、当該地点において自車両よりも当該地点側で他の車両が停止している場合がある。この場合、自車両は当該他の車両の全てが信号機を通過してから信号機を通過できる。よって当該他の車両が存在しなければ自車両の走行速度を高めて自車両が交差点を通過することができるとしても、当該他の車両が存在することにより、自車の走行速度を一旦は高めても、他の車両との追突を避けるためには走行速度を落とさなければならない。これでは不要な加減速を行っていることになる。図８の例示では、信号機の表示についてのスケジュールが示されている。図８に示されるように信号機が青信号の表示を開始した時刻ｔ１からの時間Ｔが、他の車両の全てが信号機を通過するのに要する車列待ち時間Ｔである。よってかかる車列待ち時間Ｔは、自車両と当該信号機との間で停止する他の車両の数（以下、停止車両数と呼ぶ）が多いほど長い。図８の例示では、停止車両数の模式的な一例も示している。なお、車両数と類似の概念として、信号機において停止する車両の列の末尾と、信号機との間の距離（以下、停止車列長と呼ぶ）が挙げられる。よって車列待ち時間Ｔは停止車列長が長いほど長い、とも把握できる。
【００１６】
そこで本実施の形態では、自車両と信号機との間で停止する他の車両の車両数若しくは停止車列長を推定する。そして、推定された停止車両数若しくは停止車列長を考慮して信号機を通過できる通過可能時間帯を推定する。これによって、自車両の周囲の他車両の存在を考慮した通過可能時間帯を推定することができる。
【００１７】
以下、本走行支援装置の具体的な構成の一例について説明する。本走行支援装置は道路を走行する車両（エンジン駆動車、ハイブリッド車、または電気自動車）に搭載される。以下では、本走行支援装置が搭載された車両を自車両と呼称する。走行支援装置１は、図１に例示するように、交通情報取得部５、信号情報取得部６、車両情報取得部７及び推定経路情報取得部８と、推奨速度生成部９とを備えている。
【００１８】
さらに走行支援装置１は、地図情報が記録される記録媒体（不図示）を備えている。地図情報は予め記録媒体に格納されていてもよく、走行支援装置１が地図情報を格納する基地局と通信可能であれば、基地局から地図情報を取得して記録媒体に格納してもよい。
【００１９】
地図情報は、道路を示すリンクデータと交差点を示すノードデータとから構成される道路データを含んでいる。リンクデータは、各道路が交差・分岐・合流する点の複数のノード（ノードデータ）で、各道路を分割したときの各ノード間を結ぶ各区間を示している。リンクデータは、区間を識別する固有番号、区間の長さを示す区間長、区間の始点及び終点の座標（緯度・経度）、区間の道路の種別（国道など）、区間の車線数、右折・左折専用車線の有無、その専用車線の数及び制限速度などのデータを、区間毎に有している。ノードデータは、各道路が交差・合流・分岐する交差点（ノード）毎に、ノードを識別する固有番号、ノードの座標、ノードに接続するリンクの固有番号、信号機の有無、信号機の種類（右折専用信号の出力の可否など）、信号機の直前に在る停止線の位置などを有している。
【００２０】
推定経路情報取得部８は、地図情報を用いて、自車両が走行すると推定される推定走行経路を特定し、特定した推定走行経路を推定走行経路情報として推奨速度生成部９へ出力する。かかる推定走行経路の特定は例えば以下のように行われる。
【００２１】
例えばカーナビゲーションシステムが自車両に搭載されている場合がある。カーナビゲーションシステムには、一般的にＧＰＳ（Global Positioning System；全地球測位システム）受信機が搭載されている。カーナビゲーションシステムは、ＧＰＳ受信機を用いて衛星からの情報を受信し、当該情報を地図情報にマッピングすることで自車両の現在位置を取得することができる。カーナビゲーションシステムはさらに、ユーザが指定した目的地へと至る推奨経路を現在位置および地図情報を用いて求める機能と、推奨経路のうちユーザが選択した経路を誘導経路として設定し、ユーザに対して誘導経路での走行を案内する案内機能とを有している。
【００２２】
推定経路情報取得部８はこの誘導経路を推定走行経路として特定してもよい。推定走行経路情報には、交差点（ノード）情報（交差点の位置、交差点において進行可能な方向（直進、右折、左折等）など）、制限速度、車線数、信号機の位置、信号機の種類（右折専用信号、左折専用信号）、信号機の付近に在る停止線の位置、勾配情報、カーブ情報などが含まれる。なお推定走行経路情報は、必ずしもこれらの全てを含んでいる必要はなく、後述する手順において用いられる情報を含んでいれば良い。
【００２３】
また走行支援装置１（或いはカーナビゲーションシステム）が、自車両の走行中に現在位置の取得と当該現在位置の記録とを繰り返して走行履歴を記録する機能を有している場合であれば、推定走行経路を次のように特定してもよい。即ち推定経路情報取得部８は、現在位置を含む経路であって、過去に最も頻繁に走行した経路を推定走行経路として特定してもよい。
【００２４】
また推定経路情報取得部８は、例えば自車両が現在走行している道路の種類を現在位置と地図情報とを用いて判別し、その道路が幹線道路であると判断した場合は、当該幹線道路上を推定走行経路として特定してもよい。
【００２５】
推定走行経路の特定は、走行開始時、誘導経路が設定もしくは変更されたとき、特定した推定走行経路から自車両が外れたとき、或いは所定の間隔で繰り返し実行される。
【００２６】
推定走行経路情報を受け取った推奨速度生成部９は、自車両によって通過されると推定される信号機の場所などを特定することができる。
【００２７】
車両情報取得部７は自車両の現在位置（自車両現在位置）を取得して、これを推奨速度生成部９へと出力する。自車両の現在位置は例えばＧＰＳ受信機によって得られた情報を地図情報にマッピングすることで取得される。自車両現在位置の取得及び出力は、例えば所定の間隔毎に繰り返し実行される。
【００２８】
また車両情報取得部７はさらに自車両の速度（自車両速度）を取得して、これを推奨速度生成部９へと出力する。自車両速度は、例えば自車両に公知の速度検知センサ（例えばジャイロスコープなどの各種センサ）を設けて、当該速度検知センサによって検知されてもよい。或いは、現在位置の時間変化に基づいて自車両速度が算出されてもよい。自車両速度の取得及び出力は、例えば自車両現在位置の取得及び出力と同じタイミングで実行される。
【００２９】
推奨速度生成部９は、入力される自車両現在位置及び推定走行経路情報に基づいて、例えば次の信号機までの距離などを算出することができる。また推奨速度生成部９は自車両速度をさらに用いて、自車両が信号機に到達するまでの時間を算出することができる。なお、算出精度を向上すべく、推奨速度生成部９には自車両の加速度が入力されても良い。加速度は例えば公知の加速度センサが自車両に設けられ、加速度センサを用いて車両情報取得部７によって検知される。
【００３０】
信号情報取得部６は、信号機の現示スケジュール情報を取得し、これを推奨速度生成部９に出力する。現示スケジュール情報は、信号機が通過可能である旨の表示を行う（即ち青信号が表示される）時間帯の情報を少なくとも有する。なお一般的に現示スケジュール情報は青信号が表示される時間帯、黄信号が表示される時間帯、及び赤信号が表示される時間帯を含む。現示スケジュール情報の取得は例えば以下のように行われる。
【００３１】
信号情報取得部６は、現示スケジュール情報を有する外部装置（例えば信号機を制御するセンタ）と通信可能に構成されており、当該センタから現示スケジュール情報を取得する。或いは、例えば信号情報取得部６は、道路の側道付近あるいは中央分離帯に設けられた路側無線装置と通信可能に構成されており、路側無線装置が現示スケジュール情報を有している場合には、当該路側無線装置から現示スケジュール情報を取得してもよい。あるいは、本走行支援装置１が他の車両と通信（いわゆる車車間通信）可能に構成されており、当該他の車両が現示スケジュール情報を有している場合には、当該他の車両から取得してもよい。或いは、路側無線装置又は他の車両を介してセンタから現示スケジュール情報を取得してもよい。
【００３２】
また信号情報取得部６は過去の走行履歴から学習して現在の現示スケジュール情報を取得してもよい。ここでいう過去の走行履歴とは、自車両が以前に通過した信号機の現示スケジュール情報である。つまり信号情報取得部６は過去の現示スケジュール情報に基づいて現在の現示スケジュールを推測しても良い。かかる例について説明する。まず信号情報取得部６は、自車両が走行する走行経路において、例えばセンタから現示スケジュール情報を取得して、これを走行支援装置１が有する所定の記録媒体（不図示）に記録する。そして、信号情報取得部６は記録媒体に記録された過去の現示スケジュール情報のうち、同じ信号機かつ同じ時間帯の現示スケジュール情報を現在の現示スケジュール情報として用いる。かかる取得方法は、例えばなんらかの不具合によって現在の現示スケジュール情報を外部装置から取得できない場合に特に有効である。一方で、外部装置（例えばセンタ）から現示スケジュール情報を取得する場合には、現示スケジュール情報の確度が高い。
【００３３】
また自車両が頻繁に走行する経路を走行している場合も、過去の現示スケジュール情報に基づいて現在の現示スケジュール情報を推定してもよい。自車両が頻繁に走行する経路上の信号機の過去の現示スケジュール情報は上述のように取得されてもよく、或いは次のように取得されてもよい。即ち、信号情報取得部６は自車両が信号機を通過したかどうかを判断して、その情報を蓄積する。頻繁に走行する経路であれば、かかる情報が蓄積されて、当該経路上の信号機の現示スケジュールを取得することができる。なお信号機を通過したか判断したかどうかの判断は、例えば自車両現在位置に基づいて実行される。或いは画像センサを自車両に設け、画像処理により信号機表示の種類を判別して、黄・赤信号が表示される時刻と青信号が表示される時刻とを蓄積して現示スケジュール情報を取得してもよい。
【００３４】
また、付近の信号機の現在の現示スケジュール情報と、過去の走行履歴から得られる推定走行経路上の各信号機の現示スケジュール情報との相対時間とを用いて予測した現示スケジュール情報を利用しても良い。
【００３５】
現示スケジュール情報の出力は、現示スケジュール情報を取得した場合、取得した現示スケジュール情報に変化があった場合、もしくは推奨速度生成部９からのリクエストがあった場合に行われる。たとえば、過去の走行履歴からある経路上の相対的な信号スケジュール（「第１信号機が青を表示してからｘ秒後に第２信号機が青を表示する」もしくは単純に「第１信号機が赤を表示してからｙ秒後に青を表示する」など）が予測できる場合、その情報を利用して当該経路上の現在の信号機の現示（何秒前に赤になったかなどの情報も含む）から、将来の信号スケジュールが予測される。
【００３６】
交通情報取得部５は、自車両と信号機との間で停止する停止車両数若しくは停止車列長を推定するための交通情報を取得し、これを推奨速度生成部９へと出力する。交通情報についての詳細な例は後に詳述するものの、例えば自車両の周辺に存在する他の車両の現在位置（他車両現在位置）および他の車両の速度（他車両速度）である。かかる他車両現在位置および他車両速度は、例えば自車両および他車両が互いに車車間通信可能な構成を有しており、他車両が自身の現在位置および速度の情報を有していれば、当該通信によって取得することができる。或いは、例えばミリ波レーダ又は超音波を用いたセンサなどの各種センサを自車両に設け、当該センサによって他車両現在位置および他車両速度を取得してもよい。或いは自車両の周囲を撮像する撮像装置を自車両に設けて、これによって得られた画像を解析することで他車両現在位置および他車両速度を取得してもよい。
【００３７】
交通情報の取得は、他の条件なしに周期的に実行されてもよく、自車両と信号機（或いは信号機の直前に在る停止線）との間の距離が一定距離以下である期間内で周期的に実行されても良い。交通情報の出力は、交通情報を検知した場合、取得した交通情報が変化した場合、又は推奨速度生成部９からリクエストがあった場合に実行される。
【００３８】
推奨速度生成部９の機能の詳細な例については後に詳述するものの、その概要について説明する。推奨速度生成部９は停止車両推定部２と通過可能時間帯推定部３と推奨速度演算部４とを備えている。
【００３９】
停止車両推定部２には、交通情報、信号機の現示スケジュール情報、自車両現在位置、自車両速度および推定走行経路が入力される。停止車両推定部２はこれらを用いて、自車両の直近前方またはそれ以降の信号において自車両よりも前方で停止する停止車両数もしくは停止車列長を推定する。
【００４０】
停止車両数若しくは停止車列長の推定は、交通情報を取得した際、もしくは信号機（或いは信号機の直前に在る停止線、以下同様）と自車両との間の距離が一定距離以下となったときに実行される。あるいは、他の条件なしに周期的に実行されてもよく、もしくは信号機と自車両との間の距離が一定距離以下である期間内で周期的に実行されてもよい。推定した停止車両数若しくは停止車列長は通過可能時間帯推定部３へと出力される。
【００４１】
通過可能時間帯推定部３には、信号機の現示スケジュール情報と、停止車両数若しくは停止車列長とが入力される。通過可能時間帯推定部３はこれらを用いて自車両がその信号機を通過することができる通過可能時間帯を推定する。推定した通過可能時間帯は、推奨速度演算部４に出力される。また自車両が信号機に到達する時刻における推定車列末尾情報も出力しても良い。
【００４２】
通過可能時間帯の推定は、停止車両推定部２から情報を取得したとき、若しくは周期的に実行される。
【００４３】
以上のように、通過可能時間帯推定部３によれば、自車両と信号機との間で停止する他車両の停止車両数若しくは停止車列長を用いて信号機を通過可能な通過可能時間帯を算出する。よって、他車両の存在を考慮して通過可能時間帯を算出することができる。
【００４４】
推奨速度演算部４には、自車両現在位置、自車両速度、推定走行経路情報および通過可能時間帯が入力される。推奨速度演算部４は、走行中の消費エネルギを低減するような推奨速度（推定走行経路上における自車両現在位置からの推奨速度パターン）を生成する。推奨速度パターンの算出は、例えば通過可能時間帯、制限速度などの交通規制などの拘束条件の下で、自車両が最低限の加減速のみで走行できるようなパターンを算出する。
【００４５】
次に、本実施の形態１に係る走行支援装置１の動作の一例について詳細に説明する。図２は、本実施の形態１による走行支援装置１の動作の一例を示すフローチャートである。
【００４６】
図２に示す推奨速度パターン生成処理は、走行が開始された後、所定のタイミングで実行される。例えば、自車両と信号機との間の距離が一定距離以下となるタイミング、所定距離もしくは所定時間ごと、現示スケジュール情報を受信したタイミングまたは交通情報を受信したタイミングごとに繰り返して実行される。
【００４７】
まずステップＳ１において、停止車両推定部２は、車両情報取得部７から自車両現在位置および自車両速度を取得する。
【００４８】
次にステップＳ２において、停止車両推定部２はステップＳ１で取得した自車両現在位置からの推定走行経路を推定経路情報取得部８から取得する。かかる推定走行経路が誘導経路である場合は、推定走行経路は自車両の目的地までの走行経路であってもよく、また一定距離分の走行経路であってもよく、所定の数の信号機分までの走行経路であってもよい。
【００４９】
次にステップＳ３において、停止車両推定部２は、ステップＳ２で取得した推定走行経路上に存在する信号機の現示スケジュール情報を信号情報取得部６から取得する。
【００５０】
次にステップＳ４において、停止車両推定部２は交通情報を交通情報取得部５から取得する。交通情報は例えば自車両の周辺に存在する他車両の現在位置及び速度である。
【００５１】
次にステップＳ５において、停止車両推定部２は、ステップＳ１で取得した自車両現在位置および自車両速度、ステップＳ２で取得した推定走行経路、ステップＳ３で取得した推定走行経路上の信号機の現示スケジュール情報およびステップＳ４で取得した交通情報を利用して、各信号機における停止車両数若しくは停止車列長を推定する。
【００５２】
さて、図８を参照して、車列待ち時間Ｔの推定精度という観点では、ここで推定する停止車両数は、信号機が青信号の出力を開始する時刻ｔ１において、自車両よりも信号機側で停止する車両の数であることが望ましい（図８も参照）。なお、自車両が黄・赤信号時間帯に信号機付近に到達する場合には、自車両が信号機に到達した時点における停止車両数を、時刻ｔ１における停止車両数と見なしてもよい。なぜなら、自車両が信号機で停止した後に自車両よりも前方の車両の数が増減することは非常に少ないからである。
【００５３】
以下、停止車両数を推定する方法の一例について説明する。停止車両数の推定は例えば次のように行われる。即ち、まず他車両現在位置と信号機（或いは停止線）までの距離Ｄ＿ｉを他車両速度Ｖ＿ｉで除算して、予想信号到達時間Ｄ＿ｉ／Ｖ＿ｉを算出する。次に予想信号到達時間と当該信号機の現示スケジュール情報とに基づいて各他車両が当該信号機を通過可能かどうか判断する。そして、例えば通過不可能と判断された車両のうち、自車両が当該信号機から所定距離範囲内に到達した時点で自車両よりも前方にいると判断された車両の車両数を停止車両数として推定する。かかる推定によれば、他車両の現在位置と速度から停止車両数を推定するので、停止車両数の推定精度が高い。また、自車両が当該信号機から所定距離範囲内に到達した到達時点によっても停止車両数が異なり得るので、到達時点と停止車両数との対応表もしくは関数を算出しても良い。即ち、単にある時点での停止車両数を出力するのではなく、どの時点でどれくらいの停止車両数が存在すると予想できるかという、時間経過による停止車両数の変化の情報を出力してもよい。たとえば、図８の点線で表される停止車両数の変化を関数（時刻に対する停止車両数）や表（時刻と車両数の組など）を出力する。
【００５４】
ここで、自車両現在位置から信号機までの道路が片側１車線である場合を例に挙げて説明する。なお道路が片側１車線かどうかは、推定走行経路情報に含まれる車線数の情報から判断され、肯定的な判断がなされたときに以下で説明する推定方法を実行する。
【００５５】
図３は片側１車線道路において、車車間通信によって他車両ａ〜ｅの各々の現在位置及び速度が取得できた場合の停止車両数推定の様子を表している。図３において、横軸が時間を示し、縦軸が各車両の信号機からの距離を示している。また横軸の原点が現在時刻を示している。現在時刻において、信号機と自車両ｆとの間の距離が最も遠く、信号機との間の距離は車両ａ〜ｆの順で遠い。また図３において、横軸には信号機の現示スケジュール情報として青信号時間帯（信号機通過可能時間帯に相当）と黄・赤信号時間帯（信号機通過不可能時間帯に相当）とが示されている。
【００５６】
まず停止車両推定部２は、現在時刻において自車両ｆよりも前方に位置する他車両ａ〜ｅの他車両現在位置および他車両速度を交通情報取得部５から取得する。なお、自車両よりも後方の車両についての情報を取得しなくてよい。これは、道路が片側１車線であれば追い越しが許可されていないので、現在時刻において自車両よりも後方に存在する他車両が、信号機において自車両よりも前方で停止しないからである。
【００５７】
次に、停止車両推定部２は、取得した他車両現在位置及び他車両速度から、各他車両ａ〜ｅが現在時刻における速度のままで走行した場合に各他車両ａ〜ｅが信号機に（ここでは交差点に）到達する時刻（以下「信号到達時刻」と称す）を算出する。信号到達時刻は、上述の予想信号到達時間Ｄ＿ｉ／Ｖ＿ｉに現在時刻を加算することで求められる。次に、停止車両推定部２は、当該信号機が青信号を出力している時間帯（以下、青信号時間帯と呼ぶ）に、各他車両についての信号到達時刻が含まれるかどうかを判断する。
【００５８】
なお、かかる信号到達時刻の算出と、信号到達時刻が青信号時間帯に含まれるかどうかの判断とは、例えば現在時刻において信号機に近い車両から、車両毎に順次に実行されることが望ましい。以下では、この手順に即して説明する。
【００５９】
図３の例示では、現在時刻において信号機に最も近い他車両ａの信号到達時刻ｔａは青信号時間帯に含まれ、その後に算出した他車両ｂの信号到達時刻ｔｂも、青信号時間帯に含まれる。したがって他車両ａ，ｂは信号機を通過すると推測される。その次に算出した他車両ｃの信号到達時刻ｔｃは青信号時間帯に含まれない。よって他車両ｃは信号機において停止すると推測される。そして、停止車両推定部２は、現在時刻において他車両ｃよりも後方に位置する他車両ｄ，ｅも停止すると判断し、停止車両数を３台と推定する。すなわち、ここでは道路が片側１車線であるので、例えば図３に示すように、他車両ｃよりも後方の他車両ｄが他車両ｃに追いついたとしても、他車両ｃを追い抜くことができずに他車両ｄも信号機で停止する。よって、他車両ｃが停止すると判断した時点で、他車両ｄ，ｅも停止すると判断しているのである。これによって、他車両ｄ，ｅについての信号到達時刻ｔｄ，ｔｅの算出と、信号到達時刻ｔｄ，ｔｅが青信号時間帯に含まれるかどうかの判断を実行せずに、停止車両数を３台と推定することができ、停止車両数を推定するのに要する時間を短縮することができる。なお図３においては、現在時刻における車両ｄの他車両速度に基づいて他車両ｃを追い越した場合のグラフを破線で示している。この点は後述する他の図でも同様である。
【００６０】
図４は、図３において他車両ｃの信号到達時刻ｔｃが青信号時間帯に含まれる場合を示している。この場合、停止車両推定部２は、例えば信号到達時刻ｔｃが青信号時間帯に含まれると判断した後に、他車両ｄの信号到達時刻ｔｄを算出する。図４の例示では、信号到達時刻ｔｄは信号到達時刻ｔｃよりも早い時刻である。しかしながら、各車両ａ〜ｆは片側１車線を走行しているので、他車両ｄは他車両ｃを追い越すことができず、算出した他車両ｄの信号到達時刻ｔｄは信頼性が低い。即ち、他車両ｄは実際には、他車両ｃとの距離が短くなれば、その速度を落として他車両ｃに追随する追随走行に切り替えると推測される。
【００６１】
これを判別すべく、例えば停止車両推定部２は、算出した各他車両の信号到達時刻が、現在時刻においてその他車両の一つ前に位置する他車両の信号到達時刻よりも早いかどうかを判断する。そして、肯定的判断がなされれば、停止車両推定部２は算出した他車両の信号到達時刻を、当該一つ前の他車両の信号到達時刻よりも所定時間だけ後の時刻に補正する。図４の例示では、他車両ｄの信号到達時刻ｔｄを、他車両ｃの信号到達時刻ｔｃよりも所定時間だけ後の時刻ｔｄ’に補正する。かかる所定時間は予め決定された値であってもよく、或いは他車両ｃの他車両速度が低いほど長い値であってもよい。他車両ｃの他車両速度が低いほど他車両ｄの信号到達時刻が遅れるからである。例えば図４の例示では、時刻ｔｄ’は青信号時間帯に含まれない。したがって、停止車両推定部２は他車両ｄと、これよりも後方の他車両ｅとの２台を停止車両数として推定する。
【００６２】
以上のように、信号機と自車両との間の道路が片側１車線であるときには、各他車両の到達信号時刻が、現在時刻においてその他車両の一つ前に位置する他車両の信号到達時刻よりも早いかどうかを判断する。そして、肯定的判断がなされれば、その他車両の信号到達時刻を、当該一つ前の他車両の信号到達時刻よりも遅い時刻に補正するので、実際の交通状況に合わせた信号到達時刻を算出することができる。ひいては、停止車両数の推定精度を高めることができる。
【００６３】
また、車車間通信などによって、交通情報取得部５が他車両の推定走行経路を取得できる場合は他車両の推定走行経路を考慮し、他車両の進行方向を考慮してもよい。例えば停止車両推定部２は他車両の各々の走行推定経路に基づいて、信号機を通過するかどうかを判断し、信号機を通過すると判断された他車両についてのみ信号到達時間を算出してもよい。図５の例示において、各他車両ａ〜ｅの推定走行経路を取得した結果、他車両ａ，ｂ，ｄ，ｅの推定走行経路が信号機を経由し、他車両ｃの推定走行経路が信号機を経由しない、と仮定する。なお図５では、他車両ｃが自車両ｆの推定走行経路か外れた時点以降のグラフが一点差線で示されている。この点は後述する図６でも同様である。
【００６４】
この場合、停止車両推定部２は他車両ｃの信号到達時刻ｔｃを算出しない。そして、上述したように、各他車両ａ，ｂ，ｄ，ｅの信号到達時間を算出し、各他車両ａ，ｂ，ｄ，ｅが信号機を通過するかどうかの判断を実行する。なお各他車両の信号到達時刻と、現在時刻においてその車両の一つ前の信号到達時刻との比較に際しても、他車両ｃは考慮しなくてもよい。この場合、他車両ｄの信号到達時刻ｔｄは、他車両ｂの信号到達時刻ｔｂと比較する。図５の例示では、信号到達時刻ｔｄは信号到達時刻ｔｂよりも遅いので、信号到達時刻ｔｄは補正されない。
【００６５】
図５の例示では、他車両ａ，ｂ，ｄについての信号到達時間が青色信号時間帯に含まれ、他車両ｅの信号到達時間が青色信号時間帯に含まれない、という結果が得られる。よって停止車両推定部２は停止車両を１台と推定する。
【００６６】
以上のように、各車両の進行方向を考慮しているので、停止車両数の推定精度を向上できる。
【００６７】
また他車両ｃが自車両ｆの走行推定経路から外れると推測される地点Ｐｃと、他車両ｄが他車両ｃに追いつくと推定される地点Ｐｃｄとを比較してもよい。そして地点Ｐｃが地点Ｐｃｄよりも信号機側と反対側に位置すれば、上述したように停止車両数を推定する。一方、地点Ｐｃが地点Ｐｃｄよりも信号機側に位置すれば、図６に例示するように、信号到達時刻ｔｄを所定の時間だけ遅い時刻に補正しても良い。これによって、更に停止車両数の推定精度をさらに向上できる。またかかる所定の時間は、例えば他車両ｃの他車両速度が低いほど長く、地点Ｐｃ，Ｐｃｄの間の距離が長いほど長く設定されるとよい。他車両ｃの他車両速度が低いほど、他車両ｄの信号到達時間が遅れ、他車両ｄが他車両ｃに追随する距離が長いほど他車両ｄの信号到達時間が遅れるからである。これによって更に推定精度を向上できる。
【００６８】
また、他車両の推定走行経路と右左折専用信号とを考慮するなど、進行（直進、右折、左折）方向に合わせて他車両の信号機における通過／停止を判断しても良い。例えば自車両が片側１車線を走行するものの、次の信号機において右折専用車線が存在し、当該信号機において、青信号の出力の後に右折のみの通過を許可する右折専用信号が出力する場合について、図７を参照して考慮する。このような車線数についての情報は自車両の推定走行経路情報に含まれ、信号機の出力についての情報は現示スケジュール情報に含まれる。
【００６９】
停止車両推定部２は、交通情報取得部５から入力された各他車両の推定走行経路に基づいて、各他車両の次の信号機における進行方向を取得する。ここでは他車両ｃは次の信号機において右折し、他車両ａ，ｂ，ｄ，ｅは直進するものとする。そして、停止車両推定部２は上述したように各他車両ａ〜ｅについての信号到達時刻を算出する。図７の例示では、他車両ｃの信号到達時間は青信号時間帯に含まれないものの、右折専用信号が表示される右折専用時間帯に含まれる。よって、この場合、他車両ｃは次の信号機を右折することができ、他車両ｃは信号機で停止されないと判断する。換言すれば、停止車両推定部２は、右折する他車両の信号到達時間が青色信号時間帯および右折専用時間帯のいずれか一方に含まれていれば、当該他車両が信号機を通過すると判断する。図７の例示では、他車両ｄ，ｅが停止すると判断し、その車両数を２台と推定する。
【００７０】
さらに、右左折専用車線など、進行方向別に車線が分離している場合は、自車両および他車両の推定走行経路から、車線ごともしくは自車両が通過する予定の車線のみにおいての停止車両数を推定しても良い。ここで、次の場合を例に挙げて、図７を参照して停止車両数の推定の一例を説明する。即ち、自車両が片側２車線を走行し、次の信号機において左折及び直進専用の第１車線と直進専用の第２車線と右折専用の第３車線とが存在し、当該信号機が右折専用信号を出力する場合について説明する。
【００７１】
まず、停止車両推定部２は、自車両の推定走行経路に基づいて自車両が次の信号まで片側２車線を走行することを判別する。次に、上述したように、各他車両ａ〜ｅの推定走行経路に基づいて各車両の次の信号機における進行方向を取得する。なお、走行経路が複数車線を有しているので、現在時刻において後方に位置する他車両が自車両を追い越すことができる。よって、現在時刻において後方に位置する他車両も含めて次の信号機における進行方向を取得してもよい。ここでは、他車両ａ，ｂ，ｄが直進し、他車両ｃが右折し、他車両ｅが左折すると仮定する。次に、上述したように各車両の信号到達時刻を算出する。各他車両ａ〜ｅは他の車両を追い抜くことができるので、例えば算出された各他車両ａ〜ｅの信号到達時刻とおりの時刻で次の信号機に到達すると推定する。
【００７２】
そして、信号到達時刻が青信号時間帯に含まれていればその車両は信号機を通過すると判断し、また右折予定の車両の信号到達時刻が右折専用信号時間帯に含まれていれば、その車両も信号機を通過すると判断する。図７の例示では、停止車両推定部２は、他車両ｅが自車両ｆと次の信号機との間で停止すると判断し、その車両数を１台と推定する。次に停止すると推定される他車両ｅの車線を推定する。ここでは、他車両ｅは次の信号機において左折すると推定されているので、他車両ｅが停止する車線を第１車線と推定する。よって図７の例示では、第１車線における停止車両数は１台であり、第２車線の停止車両数は０台であり、第３車線の停止車両数は０台と推定する。なお、他車両ｅが次の信号機を右折すると推定している場合には他車両ｅの停止車線は第３車線と推定し、他車両ｅが次の信号機を直進すると推定されている場合は、他車両ｅの停止車線を現在時刻において他車両ｅが走行する車線と推定する。
【００７３】
なお、上述したように、自車両が次の信号機を通過する際に走行する車線上で停止する他車両の停止車両数を推定し、他の車線上の停止車両数を推定しなくても良い。例えば自車両が次の信号機を左折する場合には、現在時刻において第１車線を走行する車両および次の信号機において左折すると推定される車両のみの信号到達時間を算出して、第１車線における停止車両数のみを推定してもよい。
【００７４】
以上のように、他車両の進行方向を用いて停止車両数を推定することによって、停止車両数の推定精度を向上することができる。
【００７５】
なお、上述の例では、停止車両推定部２は、次の信号機における停止車両数を推定しているが、当該次の信号機のみならず、自車両が走行する推定走行経路において通過予定の複数の信号機について停止車両数を算出しても良い。
【００７６】
また、複数の信号機についての停止車両数を推定する場合、次の影響を考慮してもよい。即ち、比較的近い距離にある信号機同士に起こりうるような、一つ先の信号機における停止車両数が多いためにその前の信号機で停止する車両が増加するといった影響である。言い換えれば、前方にある信号機が、その手前にある信号機で停止する車列に与える影響を考慮することが可能である。
【００７７】
また、１台あたりの車両の長さ（或いは当該長さに車両間の間隔（例えば１ｍ）を加えた値、以下、同様）を予め設定し、当該長さと停止車両数とを乗算して停止車列長を求めてもよい。
【００７８】
次に、ステップＳ６において、通過可能時間帯推定部３は、ステップＳ５において推定された停止車両数（若しくは停止車列長）およびステップＳ３で取得される現示スケジュール情報に基づいて、各信号機の通過可能時間帯を推定する。
【００７９】
図８は信号機の現示スケジュールと自車両の通過可能時間帯の関係を表すものである。通過可能時間帯は、信号機が青信号の表示を開始してから車列待ち時間Ｔが経過した時刻ｔ１から、信号機が黄信号の表示を開始する時刻ｔ２までとなる。したがって通過可能時刻の推定方法は、まず車列待ち時間Ｔを算出することで開始される。
【００８０】
例えば、自車両と信号機との間で停止する他車両の停止車両数をｎとすると、車列待ち時間Ｔは簡易的に次式で表される。
【００８１】
Ｔ＝Ｃ・ｎ＋α                                    ・・・（１）
【００８２】
ここでＣは車両の１台が増加するごとに伸びる待ち時間であり、一つの車両が信号機を通過してから、次の車両が信号機を通過するまでの時間を表す。またαは、自車両と信号機との間の車両の全てが信号機を通過した時刻から自車両が通過できるようになるまでの時間を表す。なお、通過可能時間帯推定部３から停止車列長が入力される場合には、１台あたりの車両の長さを除数として停止車列長を除算した商を停止車両数ｎとして算出すればよい。なお、算出された値が整数でない場合は、当該値を丸めて整数に変換した値を停止車両数ｎに決定してもよく、或いは、算出された値をそのまま停止車両数に決定してもよい。
【００８３】
αとＣはシステムで固定値としても良いし、信号機の存在する道路の種別（例えば幹線道路ではＣを小さくするなど）や、各車両の走行経路によって変化させても良い（例えば左折する車両のＣを大きくするなど）。また例えば自車両の推定走行経路に基づいて自車両が信号機を右折すると推定され、当該信号機の交差点には右折専用車線が存在し、かつ停止車両推定部２から右折専用車線の停止車両数が取得できる状況においては、通常時よりもＣおよびαの値が大きくなるように調整してもよい。これにより、右折車の車列が消化しにくい状況を考慮してもよい。また、信号機の交差点には右左折などの専用車線がない場合において、他車両の信号機での進行方向（右左折など）の情報が得られる場合は、その割合に応じてαとＣを調整してもよい（例えば、停止車両数に対する左折又は右折する車両数の割合が大きいほどＣを大きくする）。
【００８４】
そして、通過可能時間帯推定部３は青信号時間帯の始期から車列待ち時間Ｔを除いた時間帯を通過可能時間帯Ｔｔとして算出する。このように、自車両と信号機との間で停止する他車両が信号機を通過した後の時間帯を通過可能時間帯として推定するので、より実際の交通状況に合わせた適切な通過可能時間帯を推定できる。
【００８５】
次にステップＳ７において推奨速度演算部４は、ステップＳ１において取得した自車両現在位置および自車両速度、ステップＳ２において取得した自車両現在位置からの自車両の推定走行経路およびステップＳ６において推定した各信号機における通過可能時間帯を用いて、エネルギ消費を抑えた推奨速度パターンを算出する。エネルギ消費を抑えた推奨速度パターンの詳細な算出例は後述するものの、例えば算出された推奨速度パターンは車列待ち時間Ｔを考慮し、極力信号機による停止および再発進を行わないような、加速によるエネルギ省費を抑えた速度パターンである。また、信号機を停止せずに通過できるような速度パターンが算出不可能な場合は、エンジンブレーキや回生ブレーキを活用した速度パターンを算出しても良い。
【００８６】
図９は、直近の信号機までの距離がＤである地点において、当該信号機の通過可能時間帯を考慮した推奨速度パターンの算出例を示す。信号機が通過不可の表示を開始する（赤・黄信号）時刻をｔｒ１,ｔｒ２とし、通行可能の表示を開始する（青信号）時刻をｔｂ１とし、自車両と信号機までの距離がＤである時点（現在時刻）で推定された車列待ち時間をＴとする。例えば、信号機による減速・再加速の消費エネルギを削減するために、信号機を無停止で通過できるような速度パターンを算出する場合について説明する。即ち、停止車列が解消されると推定される時刻（時刻ｔｂ１＋時間Ｔ）から、時刻ｔｒ２までの期間（通過可能時間帯）に自車両が信号機を通過するように速度パターンを算出する。図９においては、推定された速度パターンによって自車両が走行した場合の距離が距離Ｄ以下の範囲において実線で示され、自車両が元の速度を維持した場合の距離が破線で示されている。一方で従来技術のように青信号時間帯であって時刻ｔｂ１付近で通過するように速度パターンを算出した場合、実際には信号待ちの車列によって停止もしくは減速せざるを得ない。しかし、本速度パターンによれば、信号機の通過可能時間帯として、青信号時間帯そのものではなく通過可能時間帯推定部３からの通過可能時間帯を用い、かつ車列が解消されると推定される時間帯に信号機を通過できるように速度パターンを調整することで、より確実に無停止で信号を通過することが可能となる。また、自車両の速度を調整しても止まらざるを得ないと判断された場合は、エンジンブレーキや回生を考慮した消費エネルギを抑えた停止を行うような速度パターンを生成しても良い。
【００８７】
ステップＳ７の処理が終了すると、図２の処理を終了する。
【００８８】
図１０は、本発明の実施の形態１に係る走行支援装置１の推奨速度演算部４の、自車両に直近の一つの信号までの推奨速度パターンを算出する場合の動作を示すフローチャートである。以下に図１０の各処理について説明する。
【００８９】
まず、ステップＳ１０１において、推奨速度演算部４は、推定走行経路において自車両の前方かつ最も近い対象信号機までの巡航速度の上限値および下限値を設定する。巡航速度とは自車両が走行中に維持すべき速度であり、この上限値および下限値は例えば次のように決定される。上限値は、例えば信号機までの推定走行経路の制限速度に設定される。かかる制限速度は推定走行経路情報に含まれる。或いは、自車両の周囲を走行する他車両の他車両速度を取得できる場合には、他車両速度に設定されてもよい。下限値は例えば上限値若しくは現在の自車両速度の所定割合（例えば８０％など）に設定される。
【００９０】
次にステップＳ１０２において、推奨速度演算部４は対象信号機に到着可能な時刻（以下「信号到達可能時刻」）の範囲を求める。例えば、自車両が現在速度から巡航速度の上限値まで加速し、巡航速度を保つような速度パターンで走行した場合に信号へ到達する時刻（以下「信号到達時刻」）を最も早い信号到達可能時刻とし、自車両が現在速度から巡航速度の下限値まで減速し、巡航速度を保つような速度パターンで走行した場合の信号到達時刻を最も遅い信号到達可能時刻とする。また、交通情報取得部５から他車両の他車両位置、他車両速度が取得できる場合は、自車両が他車両に追いつくかどうかの判定や、追い越しの可否の情報に基づいて、信号到達可能時刻を調整しても良い。かかる調整は停止車両推定部２において説明した動作と同様である。また推定走行経路上の勾配やカーブの情報が取得できる場合は、勾配での自然加減速やカーブでは減速するなど、推定走行経路の規制や形状に従って速度パターンを調整した場合の信号到達時刻を算出しても良い。かかる速度パターンは例えば次のようにして作成できる。例えば自車両から信号機までの道路を複数の区間（例えば１ｍの区間）に区切り、各区間の速度を決定する。例えば現在位置からのいくつかの区間では、所定の加速率、減速率でそれぞれ上限値又は下限値に到達するように当該区間における速度を決定し、それ以降の区間が直線であれば、速度を上限値又は下限値に決定し、当該区間がカーブの一部であればカーブの曲率に応じた速度に決定し、当該区間が上り坂の開始付近であれば勾配角度に応じた低減量で速度を低減させ、当該区間が下り坂の開始付近であれば勾配角度に応じた増加量で速度を増加させる。そして、当該速度パターンに基づいて、各区間の長さを各区間の速度で除算した値の総和を算出する。かかる総和が現在位置から信号機まで到達するのに要する時間となる。
【００９１】
次にステップＳ１０３において、推奨速度演算部４は予想信号到達時刻ｔを算出する。予想信号到達時刻とは、原則的に現在の自車両速度を維持したままで、対象信号機に到達すると予想される時刻である。ただし、交通情報取得部５から他車両の他車両現在位置および他車両速度が取得できる場合は、他車両に追いつくかどうかの判定や、追い越しの可否の情報に基づいて、予想信号到達時刻ｔを調整しても良い。また推定走行経路上の勾配やカーブの情報が取得できる場合は、勾配での自然加減速やカーブでは減速するなど、走行経路の規制や形状に従って速度パターンを調整した場合の予想信号到達時刻ｔを算出しても良い。なお、ステップＳ１０２，Ｓ１０３の実行順序は逆でも良い。
【００９２】
次にステップＳ１０４において、推奨速度演算部４は、ステップＳ１０３で算出した予想信号到達時刻ｔが、通過可能時間帯推定部３から取得した通過可能時間帯Ｔｔの範囲内であるかどうかを判定する。予想信号到達時刻ｔが通過可能時間帯Ｔｔの範囲内であった場合は、ステップＳ１０５の処理を実行する。また、予想信号到達時刻ｔが通過可能時間帯Ｔｔの範囲外であった場合、すなわち現在の走行を維持した場合、対象信号機で停止すると判断された場合はステップＳ１０６の処理を実行する。
【００９３】
ステップＳ１０５において、推奨速度演算部４は、推奨速度パターンとして、極力現状速度を維持するような速度パターンを算出する。例えば推奨速度演算部４は、ステップＳ１０３において、予想信号到達時刻ｔを算出するために作成した速度パターンを推奨速度パターンとして用いる。ステップＳ１０５の処理が終了すると、図７の処理を終了する。
【００９４】
ステップＳ１０６において、推奨速度演算部４は、通過可能時間帯推定部３から取得した通過可能時間帯Ｔｔの範囲内に信号到達が可能であるかを判定する。この判定はステップＳ１０２で算出した信号到達可能時刻の範囲と、通過可能時間帯Ｔｔの範囲が重複しているかどうかを判断することで実行される。通過可能時間帯Ｔｔに自車両が対象信号機に到達可能であると判断された場合は、ステップＳ１０７の処理を実行し、通過可能時間帯Ｔｔに自車両が対象信号機に到達不可能であると判断された場合はステップＳ１０８の処理を実行する。
【００９５】
ステップＳ１０７において、対象信号機において停止せずに通過するような推奨速度パターンを算出する。推奨速度パターンとしては、例えば、信号通過可能な速度パターンの中で最も巡航速度が現在の自車両速度に近いものを選んでも良い。換言すれば、信号通過可能な速度パターンの中で最も消費エネルギの少ないものを選んでも良い。またこのとき現在の自車両速度からの減速が必要な場合には、エンジンブレーキまたは回生ブレーキを積極的に活用するような速度パターンを算出しても良い。また、交通情報取得部５から他車両の他車両現在位置および他車両速度が取得できる場合は、他車両に追いつくかどうかの判定を行い、追い越し不可能であれば追従するような速度パターンを算出しても良いし、推定走行経路上の勾配およびカーブ情報が取得できる場合は、勾配での自然加減速やカーブで減速するなど、規制や道路形状に従った速度パターンを生成しても良い。ステップＳ１０７の処理が終了すると、図７の処理を終了する。
【００９６】
ステップＳ１０８において、推奨速度演算部４は、自車両は信号機で停止せざるをえないため、信号停止による消費エネルギを極力抑えられるような推奨速度パターンを算出する。ステップＳ１０８で算出する推奨速度パターンでは、例えば、現在の自車両速度以上の加速を行わず、なるべく早期に緩やかな減速を開始するなど、エンジンブレーキまたは回生ブレーキを積極的に活用する停止が可能になるような速度パターンを算出する。即ちエンジンブレーキ又は回生ブレーキを採用した場合の自車両速度の減速率に基づいて自車両速度を低減させる速度パターンを算出する。かかる減速率は例えば予め設定される。より詳細には、例えば信号機との距離が所定値以下となったときに、当該減速率に従って自車両速度を低減させる速度パターンを算出する。なお、同様に交通情報取得部５から他車両の他車両現在位置および他車両速度が取得できる場合は、自車両が他車両に追いつくかどうかの判定を行い、追い越し不可能であれば自車両が他車両に追従するような速度パターンを算出しても良い。あるいは、推定走行経路上の勾配およびカーブの情報が取得できる場合は、勾配での自然加減速やカーブでの減速など、規制や道路形状に従った速度パターンを生成しても良い。ステップＳ１０８の処理が終了すると、図７の処理を終了する。
【００９７】
走行支援装置１は例えば算出した推奨速度パターンに基づいて運転者に推奨速度を伝える。これによって、運転者は消費エネルギを低減できるように自車両を運転することができる。
【００９８】
以上の通り、本発明の実施の形態１に係る走行支援装置１によれば、信号機で停止する自車両より前方の車両数を推定し、自車両が信号機を通過できる時間帯を予測することができる。また予測した通過可能時間帯を利用して推奨速度パターンを算出することによって、より実走行可能な消費エネルギを抑えた走行をユーザに提示することが可能となる。
【００９９】
また停止車両推定部２が時間経過による停止車両数の変化の情報（例えば関数もしくは対応表）を出力する場合、推奨速度演算部４はかかる情報に基づいて信号通過可能時間帯だけでなく到着時刻による車列末尾情報（即ち、停止車両数）も利用して推奨速度を計算する。これによって自車両が加速もしくは減速することで、自車両前方の車両数が変化することを考慮に入れることができる。
【０１００】
以下では、停止車両数の推定方法の他の例について説明する。
【０１０１】
＜停止車両数の推定方法の他の一例＞
交通情報取得部５は信号機において停止している他車両の列の最後尾の位置情報（以下、車列末尾位置情報と呼ぶ。）を交通情報として取得する。かかる車列末尾位置情報は例えば次のように取得される。所定のセンタは交通状況を監視し、各信号機における停止車両の列の長さ、或いは最後尾の位置を情報として格納する。交通情報取得部５はかかるセンタから直接に或いは路側無線装置を介して、車列末尾位置情報を取得する。或いは、車車間通信によって、他車両現在位置と他車両速度とを取得し、これらを用いて車列末尾情報を取得してもよい。例えば各車両の他車両現在位置が信号機から自車両に向って順番に位置しており、これらの他車両速度がいずれも零であれば、これらの他車両は信号機で停止していると判断できる。よって、最後尾に位置する他車両の他車両現在位置を車列末尾位置情報と把握しても良い。
【０１０２】
停止車両推定部２は、交通情報として、現在時刻において推定走行経路上の信号機で停止する車両の車列末尾位置情報を取得し、これに基づいて当該信号機で停止する停止車両数を算出する。例えば、現在時刻における車列末尾位置情報に基づいて、最後尾の他車両と信号機との間の距離を算出し、一つの車両の長さとして予め設定された値を分母として当該距離を除算したときの商を、停止車両数と推定する。或いは、当該距離を停止車列長として算出してもよい。
【０１０３】
本停止車両数の推定方法によれば、複雑な演算を行わなくて良いので、処理が容易である。
【０１０４】
また、車列末尾位置情報に加えて、車車間通信及び各種センサの少なくともいずれか一方によって取得される自車両周辺の他車両についての車両情報（他車両現在位置および他車両速度）を用いて、停止車両数を推定してもよい。
【０１０５】
＜停止車両数の推定方法の他の一例＞
一般的に、信号機における通行不可の表示の１回あたりの停止車両数の平均は、交通量に対して単調増加となるため、当該交通量から停止車両数をある程度推定する事が可能である。
【０１０６】
そこで、交通情報取得部５は、交通情報として推定走行経路上の交通量を取得する。ここでは一例として旅行時間情報（渋滞情報）を取得する。旅行時間情報は、所定の区間と、当該所定の区間をどの程度の時間で通過できるかを示す旅行時間とを含む。つまり交通情報取得部５は旅行時間とその旅行時間の対象となる区間とを取得する。この旅行時間を当該区間の距離で除算した値は交通量を反映する。
【０１０７】
交通量（例えば旅行時間情報）は、例えば交通情報取得部５によって所定のセンタ（例えばＶＩＣＳ（登録商標）センタ）から取得される。或いは、路側無線装置から、若しくは路側無線装置を介してセンタから取得されてもよい。或いは、過去の走行履歴からの学習によって取得されてもよい。より詳細には、例えば交通情報取得部５は自車両が走行した交通量（或いは旅行時間情報）を不図示の記録媒体に記録し、同じ時間帯かつ同じ走行経路における過去の交通量を現在時刻における交通量として用いても良い。
【０１０８】
停止車両数は、信号機が赤信号（或いは黄信号）の表示を開始した時点から青信号の表示を開始した時点までの黄・赤信号時間帯において、時間が経過するに従って単調非減少で増加する。つまり、黄・赤信号時間帯の終期（青信号の出力の開始時点）において、停止車両数は最大値（第１値に相当）ｎｍａｘを採る。この最大停止車両数ｎｍａｘは一般的に交通量が多いほど大きい傾向がある。よって交通量（例えば旅行時間を区間で除算した値）と最大停止車両数ｎｍａｘとの間に正の相関関係を設ける。かかる正の相関関係は例えば予め設定されて記録媒体に記録される。
【０１０９】
ここでは、停止車両数ｎは黄・赤信号時間帯において経過時間ｔに比例して増加すると仮定する。かかる仮定の下で、黄・赤信号時間帯Ｔ＿ＲｔｏＢの始期からの経過時間ｔにおける停止車両数ｎとして、次式が採用される。
【０１１０】
n=(t/T_RtoB)・nmax（ただしt<T_RtoB）      ・・・（２）
【０１１１】
停止車両推定部２は、自車両が信号機に到達すると予測される信号到達時刻ｔが、黄・赤信号時間帯Ｔ＿ＲｔｏＢに含まれているときには、式（２）に基づいて停止車両数ｎを推定する。なお、式（２）に基づいて算出された値を丸めて整数に変換してもよく、算出された値をそのまま採用しても良い。
【０１１２】
一方、当該信号到達時刻ｔが時間帯Ｔ＿ＲｔｏＢに含まれていないとき、即ち青信号時間帯に含まれるときには、停止車両推定部２は停止車両数ｎを最大停止車両数ｎｍａｘと推定する。つまり、青信号の表示が開始された時点での停止車両数ｎを採用する。これは次式で表される。
【０１１３】
ｎ＝ｎｍａｘ（ただしｔ≧Ｔ＿ＲｔｏＢ）      ・・・（３）
【０１１４】
図１１に交通情報として交通量を取得した場合の、式（２）及び式（３）に基づいて推定した停止車両数の遷移を表すグラフを示す。
【０１１５】
なお、式（２）は次のように表現できる。即ち、停止車両推定部２は、第１値ｎｍａｘと、黄・赤信号時間帯の始期から自車両が信号機付近に到達するまでの経過期間ｔと正の相関関係があり零以上１以下の値を採る第２値（例えばｔ／Ｔ＿ＲｔｏＢ）との乗算値を停止車両数ｎとして推定する。
【０１１６】
本停止車両数の推定方法によれば、複雑な演算を行わなくて良いので、処理が容易である。またセンタから交通量（旅行時間情報）などを取得する機能は、一般的なカーナビゲーションシステムに搭載されている。よって、例えば車車間通信のように新たな機能を設ける必要がない。
【０１１７】
なお、車両末尾位置情報が取得される場合には、交通量（旅行時間）と車両末尾位置情報とを組み合わせて停止車両数を推定しても良い。これによって、停止車両数あるいは停止車両列の推定精度を向上できる。
【０１１８】
この発明は詳細に説明されたが、上記した説明は、すべての局面において、例示であって、この発明がそれに限定されるものではない。例示されていない無数の変形例が、この発明の範囲から外れることなく想定され得るものと解される。
【符号の説明】
【０１１９】
１  走行支援装置、２  停止車両推定部、３  通過可能時間帯推定部、４  推奨速度演算部、６  信号情報取得部。
【図１】
2012144255.tif 000003
【図２】
2012144255.tif 000004
【図３】
2012144255.tif 000005
【図４】
2012144255.tif 000006
【図５】
2012144255.tif 000007
【図６】
2012144255.tif 000008
【図７】
2012144255.tif 000009
【図８】
2012144255.tif 000010
【図９】
2012144255.tif 000011
【図１０】
2012144255.tif 000012
【図１１】
2012144255.tif 000013
【手続補正書】
【提出日】平成25年5月24日(2013.5.24)
【手続補正１】
【補正対象書類名】特許請求の範囲
【補正対象項目名】全文
【補正方法】変更
【補正の内容】
【特許請求の範囲】
【請求項１】
車両に搭載される走行支援装置であって、
前記車両たる自車両が走行すると予測される推定走行経路と、前記推定走行経路上で信号機が設けられた地点の位置とについての情報を含む推定走行経路情報を取得する推定経路情報取得部（８）と、
前記自車両の位置である自車両位置と、前記自車両の速度である自車両速度とについての情報を取得する車両情報取得部（７）と、
前記地点が通過可能である旨の表示を前記信号機が行う信号機通過可能時間帯の情報を有するスケジュール情報を取得する信号情報取得部（６）と、
前記推定走行経路の交通情報を取得する交通情報取得部（５）と、
前記自車両よりも前方に位置する前記推定走行経路上の前記地点において、前記自車両よりも前記地点側に停止する他車両の停止車両数もしくは停止車列長を、前記地点の位置情報、前記自車両位置、前記自車両速度および前記交通情報に基づいて推定する停止車両推定部（２）と、
前記停止車両推定部で推定した前記停止車両数もしくは前記停止車列長と、前記スケジュール情報とに基づいて、前記自車両が前記地点を通過できる通過可能時間帯を推定する通過可能時間帯推定部（３）と
を備える、走行支援装置。
【請求項２】
前記通過可能時間帯推定部（３）は、前記スケジュール情報に基づいて得られる前記信号機通過可能時間帯のうち、その始期から、前記停止車両数もしくは前記停止車列長と正の相関関係がある期間を除いた時間帯を、前記通過可能時間帯と推定する、請求項１に記載の走行支援装置。
【請求項３】
前記交通情報取得部（５）は、前記交通情報として、前記自車両の周辺に位置する他車両の位置である他車両位置および前記他車両の速度である他車両速度を取得し、
前記停止車両推定部（２）は、前記他車両位置および前記他車両速度と、前記地点の位置情報と、前記スケジュール情報とに基づいて前記他車両が前記信号機において停止するかどうかを推測して、前記停止車両数を推定する、請求項１又は２に記載の走行支援装置。
【請求項４】
車両に搭載される走行支援装置であって、
前記車両たる自車両が走行すると予測される推定走行経路と、前記推定走行経路上で信号機が設けられた地点の位置とについての情報を含む推定走行経路情報を取得する推定経路情報取得部（８）と、
前記自車両の位置である自車両位置と、前記自車両の速度である自車両速度とについての情報を取得する車両情報取得部（７）と、
前記地点が通過可能である旨の表示を前記信号機が行う信号機通過可能時間帯の情報を有するスケジュール情報を取得する信号情報取得部（６）と、
前記信号機において停止している前記他車両の列の末尾の位置情報を交通情報として取得する交通情報取得部（５）と、
前記自車両よりも前方に位置する前記推定走行経路上の前記地点において、前記交通情報と前記地点の位置との差に基づいて、前記自車両よりも前記地点側に停止する他車両の停止車両数もしくは停止車列長を、推定する停止車両推定部（２）と、
前記停止車両推定部で推定した前記停止車両数もしくは前記停止車列長と、前記スケジュール情報とに基づいて、前記自車両が前記地点を通過できる通過可能時間帯を推定する通過可能時間帯推定部（３）と
を備える、走行支援装置。
【請求項５】
前記交通情報取得部（５）は、前記交通情報として、前記推定走行経路の交通量を取得し、
前記停止車両推定部（２）は、前記交通量に応じて前記停止車両数もしくは前記停止車列長を推定する、請求項１又は２に記載の走行支援装置。
【請求項６】
前記停止車両推定部（２）は、前記信号機が通過不可能である旨の表示を行う信号機通過不可能時間帯に前記自車両が到達すると推測されるときには、前記自車両から前記信号機までの区間に対する前記交通量と正の相関関係がある第１値と、前記信号機通過不可能時間帯の始期から前記自車両が前記信号機に到達すると予測される時刻までの期間と正の相関関係があり零以上１以下の値を採る第２値との乗算値を、前記停止車両数もしくは前記停止車列長と推定する、請求項５に記載の走行支援装置。
【請求項７】
前記信号情報取得部（６）は、前記信号機の前記スケジュール情報を有する外部装置と通信可能に設けられ、前記外部装置から通信によって前記スケジュール情報を取得する、請求項１から６のいずれか一つに記載の走行支援装置。
【請求項８】
前記自車両が以前に通過した前記信号機の前記スケジュール情報が記録された記録媒体を更に備え、
前記信号情報取得部（６）は、前記推定走行経路上における前記信号機の前記スケジュール情報を、前記記録媒体に記録された前記スケジュール情報に基づいて推定する、請求項１から６のいずれか一つに記載の走行支援装置。
【請求項９】
前記通過可能時間帯と、前記推定走行経路情報と、前記自車両位置および前記自車両速度に基づいて、走行時の消費エネルギを減少する速度パターンを算出する推奨速度演算部（４）をさらに備える、請求項１から６のいずれか一つに記載の走行支援装置。
【請求項１０】
前記推奨速度演算部（４）は、前記自車両の信号通過時刻が前記通過可能時間帯の範囲内に含まれるように前記速度パターンを算出する、請求項９に記載の走行支援装置。
【請求項１１】
前記推奨速度演算部（４）は、前記自車両速度の上限及び下限を設定し、前記自車両の信号通過時刻が前記通過可能時間帯の範囲内に含まれるような前記速度パターンが、前記上限を超える速度或いは前記下限を下回る速度を含むときには、エンジンブレーキ又は回生ブレーキを採用したときの前記自車両速度の減速率に基づいて、前記自車両速度を低下させる速度パターンを算出する、請求項９又は１０に記載の走行支援装置。
【手続補正２】
【補正対象書類名】明細書
【補正対象項目名】０００８
【補正方法】変更
【補正の内容】
【０００８】
本発明にかかる走行支援装置の第１の態様は、車両に搭載される走行支援装置であって、前記車両たる自車両が走行すると予測される推定走行経路と、前記推定走行経路上で信号機が設けられた地点の位置とについての情報を含む推定走行経路情報を取得する推定経路情報取得部と、前記自車両の位置である自車両位置と、前記自車両の速度である自車両速度とについての情報を取得する車両情報取得部と、前記地点が通過可能である旨の表示を前記信号機が行う信号機通過可能時間帯の情報を有するスケジュール情報を取得する信号情報取得部と、前記推定走行経路の交通情報を取得する交通情報取得部と、前記自車両よりも前方に位置する前記推定走行経路上の前記地点において、前記自車両よりも前記地点側に停止する他車両の停止車両数もしくは停止車列長を、前記地点の位置情報、前記自車両位置、前記自車両速度および前記交通情報に基づいて推定する停止車両推定部と、前記停止車両推定部で推定した前記停止車両数もしくは前記停止車列長と、前記スケジュール情報とに基づいて、前記自車両が前記地点を通過できる通過可能時間帯を推定する通過可能時間帯推定部とを備える。
【手続補正３】
【補正対象書類名】明細書
【補正対象項目名】０００９
【補正方法】変更
【補正の内容】
【０００９】
本発明にかかる走行支援装置の第２の態様は、車両に搭載される走行支援装置であって、前記車両たる自車両が走行すると予測される推定走行経路と、前記推定走行経路上で信号機が設けられた地点の位置とについての情報を含む推定走行経路情報を取得する推定経路情報取得部と、前記自車両の位置である自車両位置と、前記自車両の速度である自車両速度とについての情報を取得する車両情報取得部と、前記地点が通過可能である旨の表示を前記信号機が行う信号機通過可能時間帯の情報を有するスケジュール情報を取得する信号情報取得部と、前記信号機において停止している前記他車両の列の末尾の位置情報を交通情報として取得する交通情報取得部と、前記自車両よりも前方に位置する前記推定走行経路上の前記地点において、前記交通情報と前記地点の位置との差に基づいて、前記自車両よりも前記地点側に停止する他車両の停止車両数もしくは停止車列長を、推定する停止車両推定部と、前記停止車両推定部で推定した前記停止車両数もしくは前記停止車列長と、前記スケジュール情報とに基づいて、前記自車両が前記地点を通過できる通過可能時間帯を推定する通過可能時間帯推定部とを備える。
【国際調査報告】
2012144255.tif 000014
2012144255.tif 000015
2012144255.tif 000016
2012144255.tif 000017